(57)【要約】【課題】  複数の周波数変換装置を使用しているブロックコンバータにおいて、周波数変換によって生じる妨害の除去を可能とする。【解決手段】  ２台のブロック周波数変換装置４ａ、４ｂのうち変換装置４ａには、ＣＨ１８、ＣＨ１９の地上デジタルテレビジョン放送信号が供給され、これらをＣ１４、Ｃ１５のミッドバンドに周波数変換する。変換装置４ｂには、ＣＨ２１乃至ＣＨ２５の地上デジタルテレビジョン放送信号が供給され、これらをＣ１６乃至Ｃ２１のミッドバンドに周波数変換する。変換装置４ａの出力信号は、混合器２８に供給される。変換装置４ｂの出力信号は、リレー３０に供給される。リレー３０は、変換装置４ｂの出力信号を混合器２８に供給するか、出力端子３８ｂに供給する。混合器２８の出力は、出力端子３８ａに供給されている。【選択図】        図１
2008263401.tif 000002
【特許請求の範囲】
【請求項１】
それぞれが複数の連続チャンネルの地上デジタルテレビジョン放送信号からなる複数のグループ信号であって、各グループ信号の間に空きチャンネルが存在する複数のグループ信号に対応して複数のブロック周波数変換手段が設けられ、
各ブロック周波数変換手段は、入力された対応する前記グループ信号を纏めて周波数変換して、複数の周波数変換グループ信号を出力し
前記各周波数変換グループ信号が選択手段に入力され、この選択手段は、前記ブロック周波数変換手段の出力信号を混合して出力するか、前記ブロック周波数変換手段ごとに出力するか選択可能である
ブロックコンバータ。
【請求項２】
請求項１記載のブロックコンバータにおいて、前記選択手段は、前記ブロック周波数変換手段にそれぞれ対応する複数の入力側と、前記各ブロック周波数変換手段に対応して設けられた複数の出力端子のうち１つに接続された出力側とを有する混合手段を含み、これら入力側に、対応する前記ブロック周波数変換手段の出力信号が供給され、この出力信号の供給は、１つを除いてそれぞれ切換手段を介して行われ、各前記切換手段は、前記混合手段に対応する前記出力信号を供給する状態と、前記複数の出力端子のうち前記混合手段の出力側に接続されている以外の出力端子のうち対応するものに供給する状態とに切り換えられるブロックコンバータ。
【請求項３】
請求項１記載のブロックコンバータにおいて、前記ブロック周波数変換手段ごとに出力するように前記選択手段が選択された状態において、前記ブロック周波数変換手段ごとにそれらの出力信号のみを出力するフィルタを設け、これらフィルタの出力信号を混合して出力する混合手段を設けたブロックコンバータ。
【発明の詳細な説明】
【技術分野】
【０００１】
本発明は、複数チャンネルのテレビジョン放送信号を纏めて周波数変換するブロックコンバータに関し、特に、複数の周波数変換手段を使用するものに関する。
【背景技術】
【０００２】
近年、地上デジタルテレビジョン放送が開始されている。この地上デジタルテレビジョン放送信号を、共同受信システムを介して伝送する場合、その共同受信システムの伝送帯域が狭帯域の場合などに、地上デジタルテレビジョン放送信号を、ミッドバンドに周波数変換して伝送することが行われている。このように周波数変換するブロックコンバータの一例が非特許文献１に開示されている。このブロックコンバータは、２入力、２ローカル発振方式のものである。即ち、２台の周波数変換装置を用い、一方の周波数変換装置では、一方のアンテナで受信した第１グループの連続チャンネルの地上デジタルテレビジョン放送信号をミッドバンド内の第１グループのチャンネルに周波数変換し、他方の周波数変換装置では、他方のアンテナで受信した別のグループの地上デジタルテレビジョン放送信号を、先のグループとは異なるミッドバンドの第２グループのチャンネルに周波数変換し、これらを混合して、出力している。
【０００３】
【非特許文献１】月刊「衛星＆ケーブルテレビ」  株式会社テレケーブル新聞社  平成１８年２月１５日  第３９巻第２号  裏表紙
【発明の開示】
【発明が解決しようとする課題】
【０００４】
ところで、このようなブロックコンバータの設置場所によっては、第１または第２のグループの特定の地上デジタルテレビジョン放送信号のレベルが大きいことがある。例えば、第１のグループの或る地上デジタルテレビジョン放送信号のレベルが大きいとすると、この地上デジタルテレビジョン放送信号が、第２のグループの周波数変換装置に混入し、この周波数変換装置によって周波数変換されることがある。２つの周波数変換装置の局部発振信号の周波数関係によっては、第２のグループの周波数変換装置で周波数変換された第１のグループの地上デジタルテレビジョン放送信号が、第１または第２の周波数変換装置で正規に周波数変換された地上デジタルテレビジョン放送信号に妨害を与える周波数を持つことがある。このブロックコンバータでは、２つの周波数変換装置の出力信号をそのまま混合して出力しているので、上述した妨害が生じる。
【０００５】
本発明は、複数の周波数変換装置を使用しているブロックコンバータにおいて、周波数変換によって生じる妨害の除去を可能とすることを目的とする。
【課題を解決するための手段】
【０００６】
本発明の一態様によるブロックコンバータには、複数のブロック周波数変換手段が設けられている。これらブロック周波数変換手段には、複数のグループ信号が供給される。複数のグループ信号は、それぞれが複数の連続チャンネルの地上デジタルテレビジョン放送信号からなる。各グループ信号の間に空きチャンネルが存在する。各ブロック周波数変換手段は、入力された対応する前記グループ信号を纏めて周波数変換して、複数の周波数変換グループ信号を出力する。各ブロック周波数変換手段の出力信号が選択手段に入力される。この選択手段は、前記各ブロック周波数変換手段の出力信号を混合して出力するか、各ブロック周波数変換手段ごとに出力するか選択可能である。
【０００７】
このように構成されたブロックコンバータでは、通常には各ブロック周波数変換手段の出力信号を選択手段が混合して出力する。しかし、各ブロック周波数変換手段の出力信号に、各周波数変換グループ信号内のいずれかの周波数変換された地上デジタルテレビジョン放送信号に対して妨害を与えるものが発生すると、選択手段が、各ブロック周波数変換手段の出力信号を個別に出力する。これによって、例えばブロック周波数変換手段の出力信号中の不所望な妨害を与える信号を除去してから混合することによって、上述した妨害を除去することができる。
【０００８】
選択手段は、混合手段を含むものとすることができる。この混合手段は、ブロック周波数変換手段にそれぞれ対応する複数の入力側と、前記各ブロック周波数変換手段に対応して設けられた複数の出力端子のうち１つに接続された出力側とを有している。これら入力側に、対応する前記ブロック周波数変換手段の出力信号が供給され、この出力信号の供給は、１つを除いてそれぞれ切換手段を介して行われ、各前記切換手段は、前記混合手段に対応する前記出力信号を供給する状態と、前記複数の出力端子のうち前記混合手段の出力側に接続されている以外の出力端子のうち対応するものに供給する状態とに切り換えられる。
【０００９】
このように構成することによって、切換手段を切り換えることによって、１つの出力端子から各ブロック周波数変換手段の出力信号の混合信号を出力することもできるし、各出力端子から、対応するブロック周波数変換手段の出力信号を出力することもできる。
【００１０】
前記ブロック周波数変換手段ごとに出力するように前記選択手段が選択された状態において、前記ブロック周波数変換手段ごとにそれらの出力信号のみを出力するフィルタを設け、これらフィルタの出力信号を混合して出力する混合手段を設けることもできる。これによって、上述したような妨害が生じることを防止できる。
【発明の効果】
【００１１】
以上のように、本発明によれば、複数の周波数変換装置を使用しているブロックコンバータにおいて、不所望に周波数変換された地上デジタルテレビジョン放送信号が正規に周波数変換された地上デジタルテレビジョン放送信号に妨害を与える場合、これを除去することができる。
【発明を実施するための最良の形態】
【００１２】
本発明の１実施形態のブロックコンバータ２は、地上デジタルテレビジョン放送信号をミッドバンドに周波数変換し、共同受信システムを介して各家庭に配信するものである。周波数変換される地上デジタルテレビジョン放送信号は、複数のグループ、例えば第１及び第２のグループからなる。図２に示すように、第１のグループは、例えばチャンネルＣＨ１８（周波数範囲５００乃至５０６ＭＨｚ）、ＣＨ１９（周波数範囲５０６乃至５１２ＭＨｚ）の地上デジタルテレビジョン放送信号からなる。第２のグループは、例えばチャンネルＣＨ２１（周波数範囲５１８乃至５２４ＭＨｚ）、ＣＨ２２（周波数範囲５２４乃至５３０ＭＨｚ）、ＣＨ２３（周波数範囲５３０乃至５３６ＭＨｚ）、ＣＨ２４（周波数範囲５３６乃至５４２ＭＨｚ）、ＣＨ２５（周波数範囲５４２乃至５４８ＭＨｚ）、ＣＨ２６（周波数範囲５４８乃至５５４ＭＨｚ）からなる。第１及び第２のグループとの間には、１チャンネル（６ＭＨｚ）分の空きチャンネルがある。
【００１３】
第１のグループのＣＨ１８がＣ１４（周波数範囲１１４乃至１２０ＭＨｚ）に、ＣＨ１９がＣ１５（周波数範囲１２０乃至１２６ＭＨｚ）、ＣＨ２１がＣ１６（周波数範囲１２６乃至１３２ＭＨｚ）、ＣＨ２２がＣ１７（周波数範囲１３２乃至１３８ＭＨｚ）、ＣＨ２３がＣ１８（周波数範囲１３８乃至１４４ＭＨｚ）、ＣＨ２４がＣ１９（周波数範囲１４４乃至１５０ＭＨｚ）、ＣＨ２５がＣ２０（周波数範囲１５０乃至１５６ＭＨｚ）、ＣＨ２６がＣ２１（周波数範囲１５６乃至１６２ＭＨｚ）に周波数変換される。周波数変換後の各地上デジタルテレビジョン放送信号は、Ｃ１４からＣ２１まで連続的に周波数配列されている。
【００１４】
このような周波数変換を行うために、図１に示すように、ブロックコンバータ２は、複数台、例えば２台のブロック周波数変換手段、例えばブロック周波数変換装置４ａ、４ｂを備えている。ブロック周波数変換装置４ａは、第１のグループのＣＨ１８、ＣＨ１９を、Ｃ１４、Ｃ１５に周波数変換する。Ｃ１４、Ｃ１５からなるグループを周波数変換第１のグループと称する。ブロック周波数変換装置４ｂは、第２のグループのＣＨ２１乃至ＣＨ２６を、Ｃ１６乃至Ｃ２１に周波数変換する。Ｃ１６乃至Ｃ２１からなるグループを周波数変換第２のグループと称する。
【００１５】
ブロック周波数変換装置４ａでは、入力端子６ａに第１のグループの地上デジタルテレビジョン放送信号が供給される。第１のグループの地上デジタルテレビジョン放送信号は、第１の受信アンテナ（図示せず）で受信されている。第１のグループの地上デジタルテレビジョン放送信号は、利得調整器８ａ、減衰器１０ａからなるレベル調整手段によってレベル調整が行われた後、フィルタ手段、例えばバンドパスフィルタ１２ａによって不要な信号成分が除去される。バンドパスフィルタ１２ａの出力信号は、増幅手段、例えば高周波増幅器１４ａによって増幅される。増幅器１４ａの出力信号は、フィルタ手段、例えばローパスフィルタ１６ａによって不要な信号成分が除去された後、ミキサ１８ａに供給される。ミキサ１８ａには、局部発振手段、例えば局部発振器２０ａから第１の局部発振信号ｆＬ１が供給されている。第１局部発振信号の周波数は、例えば３８６ＭＨｚに設定されている。これによって、ミキサ１８ａは、ＣＨ１８をＣ１４に、ＣＨ１９をＣ１５に周波数変換する。ミキサ１８ａの出力信号は、フィルタ手段、例えばバンドパスフィルタ２２ａによって不要な信号成分が除去される。バンドパスフィルタ２２の出力信号は、レベル調整手段、例えば利得調整器２４ａによってレベル調整が行われた後、増幅手段、例えば増幅器２６ａによって増幅される。
【００１６】
ブロック周波数変換装置４ｂも、ブロック周波数変換装置４ａと同様に構成されているので、同等部分には同一符号の末尾の添え字をａからｂに変更した符号を付して、その説明を省略する。但し、局部発振器２０ｂが発生する第２の局部発振信号ｆＬ２の周波数は、３９２ＭＨｚに設定されている。これによって、ＣＨ２１はＣ１６に、ＣＨ２２はＣ１７に、ＣＨ２３はＣ１８に、ＣＨ２４はＣ１９に、ＣＨ２５はＣ２０に、ＣＨ２６はＣ２１にそれぞれ周波数変換される。第１及び第２の局部発振信号ｆＬ１、ｆＬ２の周波数の差は、丁度１チャンネル分である。
【００１７】
このように複数のブロック周波数変換装置４ａ、４ｂを使用しているので、ブロック周波数変換装置４ａ、４ｂから周波数変換後のＣ１４、Ｃ１７乃至Ｃ２１が妨害を受けることがある。例えば図３（ａ）は、ブロック周波数変換装置４ａにおいてＣＨ１８が第１局部発振信号ｆＬ１によってＣ１４に変換される状態を示し、同図（ｂ）はブロック周波数変換装置４ａにおいてＣＨ１９が第１局部発振信号ｆＬ１によってＣ１５に変換される状態を示し、同図（ｃ）はブロック周波数変換装置４ｂにおいてＣＨ２１が第２局部発振信号ｆＬ２によってＣ１６に変換される状態を示している。このブロックコンバータ２を設置している場所でのＣＨ１９の受信電界強度が大きくて、第２の受信アンテナにおいても、ＣＨ１９が受信され、ブロック周波数変換装置４ｂに供給されるとする。この場合、同図（ｄ）に示すように第２局部発振信号ｆＬ２によってＣＨ１９が周波数変換され、変換後にはＣ１４と同じチャンネルの妨害信号Ｃ１４Ｉとなる。これが同じチャンネルであるＣ１４に妨害を与え、等価Ｃ／Ｎを低下させる。
【００１８】
同様に、ＣＨ２１の受信電界強度が大きくて、第１の受信アンテナにおいてもＣＨ２１が受信されて、ブロック周波数変換装置４ａに供給されると、ＣＨ２１は、第１局部発振信号ｆＬ１によって周波数変換され、Ｃ１７と同じチャンネルに周波数変換され、Ｃ１７に妨害を与える。同様にＣＨ２２乃至ＣＨ２６の電界強度が大きく、ブロック周波数変換装置４ａに供給されると、ＣＨ２２の周波数変換後の信号がＣ１８に、ＣＨ２３の周波数変換後の信号がＣ１９に・・・・Ｃｈ２６の周波数変換後の信号がＣ２１に妨害を与える。
【００１９】
これらブロック周波数変換装置４ａ、４ｂの出力信号を単に混合して出力した場合、上述したような妨害が生じる。そこで、このブロックコンバータ２では、ブロック周波数変換装置４ａの出力信号は、選択手段の一部をなす混合手段、例えば混合器２８の入力側に供給するが、ブロック周波数変換装置４ｂの出力信号は、選択手段の残りの部分をなす切換手段、例えばリレー３０を介して混合器２８の他の入力側に供給している。
【００２０】
リレー３０は、操作手段、例えば操作スイッチ３２の操作によって、ブロック周波数変換装置４ｂの出力信号をリレー３０の一方の出力側から混合器２８に供給するように切り換えられる。このように切り換えられると、混合器２８の出力側には、ブロック周波数変換装置４ａ、４ｂの出力信号の混合信号が出力される。また、リレー３０は、操作スイッチ３２の操作によって、ブロック周波数変換装置４ｂの出力信号をリレー３０の一方の出力側から混合器２８には供給せずに、リレー３０の他方の出力側に出力するようにも切り換えられる。これによって、混合器２８の出力側にはブロック周波数変換装置４ａの出力信号のみが生じ、リレー３０の他方の出力側には、ブロック周波数変換装置４ｂの出力信号のみが生じる。
【００２１】
混合器２８の出力信号は、フィルタ手段、例えばバンドパスフィルタ３４ａによって不要な信号成分が除去され、かつレベル調整手段、例えば減衰器３６ａによってレベル調整が行われた後、出力端子３８ａに出力される。従って、出力端子３８ａには、操作スイッチ３２の操作によって、ブロック周波数変換装置４ａ、４ｂの出力信号の混合信号またはブロック周波数変換装置４ａの出力信号のみが出力される。同様に、リレー３０の他方の出力側に生じた信号も、バンドパスフィルタ３４ｂ、減衰器３６ａを介して出力端子３８ｂに供給される。従って、操作スイッチ３２の操作によって、出力端子３８ｂには、ブロック周波数変換装置４ｂの出力信号が出力されるか、全く信号が出力されないかとなる。なお、出力端子３８ａにブロック周波数変換装置４ａ、４ｂの出力信号の混合信号が出力されている場合、出力端子３８ｂには全く信号が生じず、出力端子３８ａにブロック周波数変換装置４ａの出力信号が生じているとき、出力端子３８ｂにブロック周波数変換装置４ｂの出力信号が出力される。
【００２２】
このように出力端子３８ａに両ブロック周波数変換装置４ａ、４ｂの出力信号の混合信号を出力する状態と、出力端子３８ａにブロック周波数変換装置４ａの出力信号を、出力端子３８ｂにブロック周波数変換装置４ｂの出力信号を、それぞれ個別に出力することができる。
【００２３】
従って、妨害が生じない場合には、図４（ａ）に示すように、ブロックコンバータ２の入力端子６ａには、ＣＨ１８、ＣＨ１９のみを通過させるバンドパスフィルタ４０ａを介して第１の受信アンテナの信号を供給し、入力端子６ｂには、ＣＨ２０乃至ＣＨ２６のみを通過させるバンドパスフィルタ４０ｂを介して第２の受信アンテナの出力信号を供給する。そして、ブロックコンバータ２の操作スイッチ３２を出力端子３８ａに混合信号が出力されるように切り換えておく。この混合信号は、出力端子３８ａに接続されたＣ１４からＣ２０を通過させるバンドパスフィルタ４２を介して出力され、共同受信システムを介して各家庭に配信される。なお、場合によっては、バンドパスフィルタ４０ａ、４０ｂ、４２を不使用とすることもできる。
【００２４】
妨害が生じる場合には、同図（ｂ）に示すように、ブロックコンバータ２の入力端子６ａ、６ｂには、同図（ａ）の場合と同様に、バンドパスフィルタ４０ａ、４０ｂを介して第１及び第２の受信アンテナでの受信信号を供給する。ブロックコンバータ２の操作スイッチ３２は、出力端子３８ａにブロック周波数変換装置４ａの出力信号のみが、出力端子３８ｂにブロック周波数変換装置４ｂの出力信号のみがそれぞれ出力されるように切り換えておく。出力端子３８ａの出力信号は、Ｃ１４、Ｃ１５のみを通過させるバンドパスフィルタ４４ａを介して出力し、出力端子３８ｂの出力信号は、Ｃ１６乃至Ｃ２１のみを通過させるバンドパスフィルタ４４ｂを介して出力する。これらバンドパスフィルタ４４ａ、４５ｂの出力信号は、混合手段、例えば混合器４６によって混合されて出力される。
【００２５】
これによって、出力端子３８ａに出力されているブロック周波数変換装置４ａの出力信号からこれに含まれているＣ１７乃至Ｃ２１に対応する妨害信号が除去される。同様に、出力端子３８ｂに出力されているブロック周波数変換装置４ｂの出力信号からこれに含まれているＣ１５に対応する妨害信号が除去される。妨害信号が除去されたブロック周波数変換装置４ａ、４ｂの出力信号であるバンドパスフィルタ４４ａ、４４ｂの出力信号が混合器４６で混合されて出力される。従って、この混合信号が、共同受信システムによって各家庭に配信されても、各家庭では、Ｃ１４乃至Ｃ２１の地上デジタルテレビジョン放送信号を良好に受信することができる。
【００２６】
図４（ａ）または（ｂ）のいずれの状態にしてブロックコンバータ２を動作させるか決定するために、ブロック周波数変換装置４ａ、４ｂの個別の出力信号と、両出力信号の混合信号とをそれぞれモニタする必要がある。そこで、減衰器３６ａ、３６ｂの出力側に１分岐器４８ａ、４８ｂを設け、それらの分岐出力信号のうち一方を切換手段、例えば切換スイッチ５０によって選択して、モニタ端子５２に供給している。
【００２７】
そして、混合信号をモニタする場合には、出力端子３８ａに混合信号が出力されるように操作スイッチ３２を操作し、切換スイッチ５０を分岐器４８ａの分岐出力がモニタ端子５２に出力されるように切り換える。また、ブロック周波数変換装置４ａ、４ｂの出力信号をモニタする場合には、出力端子３８ａにブロック周波数変換装置４ａの出力信号が、出力端子３８ｂにブロック周波数変換装置４ｂの出力信号がそれぞれ出力されるように操作スイッチ３２を操作し、例えば分岐器４８ａの分岐出力がモニタ端子５２に出力されるように、次に分岐器４８ｂの分岐出力がモニタ端子５２に出力されるように、切換スイッチ５０を切り換える。
【００２８】
上記の実施形態では、地上デジタルテレビジョン放送信号は、２つのグループとしたが、受信地域における地上デジタルテレビジョン放送信号の周波数割り当てによっては、更に多くのグループをすることもある。この場合、グループごとにブロック周波数変換装置を設けるが、これらブロック周波数変換装置で使用する局部発振信号の周波数と各グループの地上デジタルテレビジョン放送信号のチャンネルとの関係上、妨害信号が発生する場合には、まず各ブロック周波数変換装置の各出力信号を混合器で混合するように構成する。また、各ブロック周波数変換装置にそれぞれ対応する出力端子を設ける。１台を除いてブロック周波数変換装置の出力信号は、リレーのような選択手段を用いて、混合器に供給される状態と、対応する出力端子に出力信号を出力する状態とに切り換えられるように構成する。上述したようにして除かれたブロック周波数変換装置に対応する出力端子には、混合器の混合信号を供給する。
【００２９】
上記の実施形態では、ブロック周波数変換装置４ａ、４ｂとしては、利得調整器８ａ、８ｂ、２４ａ、２４ｂや減衰器１０ａ、１０ｂ、３６ａ、３６ｂやバンドパスフィルタ１２ａ、１２ｂ、２２ａ、２２ｂ、３４ａ、３４ｂ、増幅器１４ａ、１４ｂ、２６ａ、２６ｂ等を備えたものを示したが、最低限度ミキサ１８ａ、１８ｂと局部発振回路２０ａ、２０ｂを備えていればよい。
【図面の簡単な説明】
【００３０】
【図１】本発明の一実施形態のブロックコンバータのブロック図である。
【図２】図１のブロックコンバータにおける入力された地上デジタルテレビジョン放送信号と、周波数変換後の地上デジタルテレビジョン放送信号の周波数関係を示す図である。
【図３】図１のブロックコンバータにおいて妨害信号が発生する状態を示す図である。
【図４】図１のブロックコンバータの使用状態を示すブロック図である。
【符号の説明】
【００３１】
２  ブロックコンバータ
４ａ  ４ｂ  ブロック周波数変換装置（ブロック周波数変換手段）
２８  混合器（選択手段）
３０  リレー（選択手段）
【図１】
2008263401.tif 000003
【図２】
2008263401.tif 000004
【図３】
2008263401.tif 000005
【図４】
2008263401.tif 000006